(57)【要約】【課題】  短時間で体毛処理部を十分な程度にまで乾燥させることができ、しかも乾燥後の体毛処理部表面に皮脂や汚れ成分が残留することを抑制することのできる除毛器具の洗浄装置を提供する。【解決手段】  体毛の除毛を行うための体毛処理部２を有する除毛器具１の該体毛処理部２を配置させる洗浄槽４と、洗浄槽４内に洗浄液３０を供給及び回収する供給回収機構Ａと、洗浄槽４内に配置される体毛処理部２を洗浄後に乾燥させる乾燥機構Ｂと、供給回収機構Ａ及び乾燥機構Ｂを駆動制御する制御部１２とを具備する除毛器具の洗浄装置である。上記制御部１２は、乾燥機構Ｂを駆動させている最中に、体毛処理部２を駆動させるための制御信号を除毛器具１に伝送するものとする。【選択図】図１
2008023120.tif 000002
【特許請求の範囲】
【請求項１】
体毛の除毛を行うための体毛処理部を有する除毛器具の該体毛処理部を配置させる洗浄槽と、洗浄槽内に洗浄液を供給及び回収する供給回収機構と、洗浄槽内に配置される体毛処理部を洗浄後に乾燥させる乾燥機構と、供給回収機構及び乾燥機構を駆動制御する制御部とを具備する除毛器具の洗浄装置において、上記制御部は、乾燥機構を駆動させている最中に体毛処理部を駆動させるための制御信号を除毛器具に伝送するものであることを特徴とする除毛器具の洗浄装置。
【請求項２】
上記制御部は、乾燥機構を駆動させている最中に体毛処理部を間欠的に駆動させるものであることを特徴とする請求項１に記載の除毛器具の洗浄装置。
【請求項３】
上記制御部は、体毛処理部の間欠駆動における動作時間が停止時間より短くなるように制御するものであることを特徴とする請求項２に記載の除毛器具の洗浄装置。
【請求項４】
上記制御部は、体毛処理部の間欠駆動における停止時間が該間欠駆動開始からの時間経過に伴って次第に長くなるように制御するものであることを特徴とする請求項２又は３に記載の除毛器具の洗浄装置。
【請求項５】
除毛器具の体毛処理部の乾燥状態を検知する乾燥検知手段を具備し、且つ上記制御部は、乾燥検知手段からの検知信号を受けて乾燥完了と判定した際に体毛処理部の駆動を停止させるものであることを特徴とする請求項１〜４のいずれか一項に記載の除毛器具の洗浄装置。
【請求項６】
上記乾燥検知手段は、体毛処理部の温度を検知する温度センサを用いたものであることを特徴とする請求項５に記載の除毛器具の洗浄装置。
【発明の詳細な説明】
【技術分野】
【０００１】
本発明は、電気かみそりや脱毛装置等の除毛器具を洗浄するための洗浄装置に関するものである。
【背景技術】
【０００２】
従来から、体毛の除毛を行うための体毛処理部を有する除毛器具（例えば、電気かみそりや脱毛装置）の体毛処理部を洗浄するための洗浄装置として、除毛器具の体毛処理部を配置させる洗浄槽と、この洗浄槽内に洗浄液を供給及び回収する供給回機構と、洗浄槽内に配置される体毛処理部を洗浄した後に乾燥させる乾燥機構と、供給回収機構及び乾燥機構を制御する制御部とを具備するものが知られている（特許文献１参照）。
【０００３】
上記従来の洗浄装置にあっては、洗浄装置に除毛器具をセットした状態において、洗浄装置の制御部は除毛器具内の制御回路と電気的に接続されるようになっている。そして、洗浄槽内にて体毛処理部を洗浄している最中に洗浄装置側の制御部から除毛器具側の制御回路へと制御信号を送信し、これを受信した除毛器具内の制御回路が体毛処理部を駆動させることで、洗浄槽内での体毛処理部の洗浄が効果的に行われるようになっている。
【０００４】
洗浄が終了すると今度は体毛処理部を乾燥させるのだが、これは体毛処理部の駆動を終了させたうえで、乾燥機構を成すファン等を駆動させることで行われる。しかしこの方法では、例えば体毛処理部の中でも風の届き難い離れた部分に付着する水滴に対しては、自然落下やファンによる送風で乾燥が完了することを待つしかない。したがって体毛処理部が十分な程度に乾燥するまでに時間がかかるといった問題があった。
【０００５】
また、洗浄後の体毛処理部には洗浄液が付着しているので、単に風を当てて乾燥させただけではその洗浄液中に溶け込んでいた皮脂や汚れ成分が表面に残留してしまい、洗浄したにも関わらず乾燥後には汚れが付着した状態になるといった問題があった。
【特許文献１】特開２００４−２６１２０８号公報
【発明の開示】
【発明が解決しようとする課題】
【０００６】
本発明は上記問題点に鑑みて発明したものであって、短時間で体毛処理部を十分な程度にまで乾燥させることができ、しかも乾燥後の体毛処理部表面に皮脂や汚れ成分が残留することを抑制することのできる除毛器具の洗浄装置を提供することを課題とするものである。
【課題を解決するための手段】
【０００７】
上記課題を解決するために本発明を、体毛の除毛を行うための体毛処理部２を有する除毛器具１の該体毛処理部２を配置させる洗浄槽４と、洗浄槽４内に洗浄液３０を供給及び回収する供給回収機構Ａと、洗浄槽４内に配置される体毛処理部２を洗浄後に乾燥させる乾燥機構Ｂと、供給回収機構Ａ及び乾燥機構Ｂを駆動制御する制御部１２とを具備する除毛器具の洗浄装置において、上記制御部１２は、乾燥機構Ｂを駆動させている最中に体毛処理部２を駆動させるための制御信号を除毛器具１に伝送するものとする。
【０００８】
上記構成の除毛器具の洗浄装置とすることで、体毛処理部２に付着する洗浄液３０の液滴を駆動時の振動等で外部に振るい落とすことができ、また残存する液滴についても駆動時に広げられて表面積が増大するので乾燥し易くなる。したがって短時間で体毛処理部２を十分な程度にまで乾燥させることができ、しかも、付着する洗浄液３０が強制的に外部に落とされることで、洗浄液３０中に溶け込んでいた皮脂や汚れ成分が乾燥後に体毛処理部２表面に残留するといったことも抑制される。
【０００９】
上記制御部１２は、乾燥機構Ｂを駆動させている最中に体毛処理部２を間欠的に駆動させるものであることが好適である。このように乾燥作業中の体毛処理部２の駆動を間欠駆動とすることで、乾燥作業中の長時間駆動によって体毛処理部の寿命が短くなるといった事態や、駆動時の騒音が周囲に影響を及ぼすといった事態が回避される。特に体毛処理部２が刃部を摺動させるような構成である場合、長時間駆動させることで磨耗により刃先の磨耗を生じるが、間欠駆動とすることで刃先寿命への影響は明らかに回避される。
【００１０】
更に上記制御部１２は、体毛処理部２の間欠駆動における動作時間が停止時間より短くなるように制御するものであることが好適である。このように体毛処理部２の動作時間を極力抑えることで、乾燥作業中の駆動により体毛処理部の寿命が短くなるといった事態や、駆動時の騒音が周囲に影響を及ぼすといった事態が、更に効果的に回避される。
【００１１】
更に上記制御部１２は、体毛処理部２の間欠駆動における停止時間が該間欠駆動開始からの時間経過に伴って次第に長くなるように制御するものであることも好適である。間欠駆動を開始させてから時間が経過する程に体毛処理部２に付着する洗浄液３０の液量は減少し、付着する液滴が下方に流れて溜まるまでの時間は漸次増大してくる。したがって、これに合わせて次の駆動開始までの時間を長くしていくことで、乾燥作業中の駆動により体毛処理部の寿命が短くなるといった事態や、駆動時の騒音が周囲に影響を及ぼすといった事態が、更に効果的に回避される。
【００１２】
また、除毛器具１の体毛処理部２の乾燥状態を検知する乾燥検知手段Ｃを具備し、且つ上記制御部１２は、乾燥検知手段Ｃからの検知信号を受けて乾燥完了と判定した際に体毛処理部２の駆動を停止させるものであることも好適である。このように、乾燥完了後には体毛処理部２の駆動を停止させるように設定することで、乾燥作業中の駆動により体毛処理部の寿命が短くなるといった事態や、駆動時の騒音が周囲に影響を及ぼすといった事態が、更に効果的に回避される。
【００１３】
上記乾燥検知手段Ｃは、体毛処理部２の温度を検知する温度センサ２５を用いたものであることが好適である。乾燥完了前と比較して、乾燥完了後の体毛処理部２は洗浄液３０の気化熱がなくなって温度が上昇するので、このような温度センサ２５を用いることで乾燥完了を確実に判定することができる。
【００１４】
なお、以上述べた各構成は、本発明の趣旨を逸脱しない限り適宜組合せ可能である。
【発明の効果】
【００１５】
本発明は、短時間で体毛処理部を十分な程度にまで乾燥させることができ、しかも乾燥後の体毛処理部表面に皮脂や汚れ成分が残留することを抑制することができるといった効果を奏する。
【発明を実施するための最良の形態】
【００１６】
以下、本発明を添付図面に示す実施形態に基づいて説明する。図１には、本発明の実施形態における第一例の除毛器具１と、この除毛器具１が有する体毛処理部２を洗浄するための洗浄装置を示している。なお本例の洗浄装置の基本的構成は、従来技術にて上述した従来の洗浄装置と同様であることから、図１には概略なブロック図を示すに留める。
【００１７】
図１中に点線で示す除毛器具１は例えば電気かみそりや脱毛装置であって、片手で把持可能な除毛器具本体３の先端側（図中下側）に、実際に体毛の除毛を行うための体毛処理部２を有している。この体毛処理部２の先端には適宜の駆動体２ａが設けてあり、該駆動体２ａが駆動されることで除毛処理が為されるものである。なお上記駆動体２ａは、この除毛器具１が例えば電気かみそりである場合には、固定刃とこれに対して摺動する可動刃とを有して体毛を切断する刃部である。また除毛器具１が脱毛装置である場合には、上記駆動体２ａは回転及び開閉動作をしながら体毛を挟持して引き抜く複数の爪部である。
【００１８】
図１中に実線で示す洗浄装置には、上方の開口した皿状を成す洗浄槽４と、固定手段である接続スタンド（図示せず）とが備えてあり、この接続スタンドを用いて除毛器具１を体毛処理部２が下方を向いた姿勢で固定させたときに、除毛器具１の体毛処理部２が洗浄槽４内に配置されるように設けている。
【００１９】
この洗浄槽４内に洗浄液３０を供給及び回収するための供給回収機構Ａは、洗浄液３０を貯めておくための容器部５と、容器部５内の底部に開口する吸入口６ａ及び洗浄槽４内の上部に開口する放出口６ｂを連通接続させる供給流路６と、洗浄槽４の底部に開口する排出口７ａ及び容器部５上部に開口する戻し口７ｂを連通接続させる返送流路７と、返送流路７中に配置されるポンプユニット８と、返送流路７中であってポンプユニット８の上流側に配置されるフィルタカセット９と、容器部５上部の戻し口７ｂよりも上方位置で開口して外気と連通する通気口１０と、この通気口１０を開閉する電磁弁１１とで主体を成している。なお上記供給流路６は、吸入口６ａ及び放出口６ｂからそれぞれ上方に延設される一対の鉛直流路６ｃ，６ｄの上端同士を、水平流路６ｅで連通接続させることで側面視コ字状に形成されている。
【００２０】
上記供給回収機構Ａを成すポンプユニット８及び電磁弁１１は、洗浄装置に内蔵してある制御部１２と電気的に接続されており、制御部１２によってポンプユニット８及び電磁弁１１を適宜タイミングで駆動制御することで、容器部５内と洗浄槽４内との間で洗浄液３０の供給及び回収を行うものである。このタイミングについては後述する。
【００２１】
また洗浄槽４内に配置された状態にある体毛処理部２を乾燥させるための乾燥機構Ｂは、洗浄槽４の開口の斜め上方に設置されるファン装置１３と、洗浄槽４の底部に設置されるヒータ装置１４とで主体を成している。このファン装置１３及びヒータ装置１４はそれぞれ制御部１２と電気的に接続されており、制御部１２により通電制御されて生じる加熱及び送風によって、体毛処理部２の特に駆動体２ａを強制的に乾燥させるものである。
【００２２】
ここで、洗浄装置の適宜箇所（例えば接続スタンド外側面）には、接続端子から成る洗浄装置側伝送部１５が設けてあり、洗浄装置内の制御部１２とこの洗浄装置側伝送部１５とを電気的に接続させている。また、除毛器具１の固定姿勢において体毛処理部２の上側に位置することとなる除毛器具本体３の外側面には、接続端子から成る除毛器具側伝送部１６が設けてあり、除毛器具本体３に内蔵してある制御回路１７とこの除毛器具側伝送部１６とを電気的に接続させている。上記制御回路１７は、体毛処理部２の駆動体２ａの駆動制御は勿論、除毛器具１の制御全般を行うものである。
【００２３】
次に、上記構成の洗浄装置を用いて除毛器具を洗浄する場合の制御について説明する。まず使用者は、洗浄装置の容器部５内に洗浄液３０を充填させておくのであるが、このとき洗浄液３０の液面が吸入口６ａより上方であり且つ戻し口７ｂより下方である適宜の範囲内に位置するように充填させる。この初期状態において、洗浄槽４内には洗浄液３０が空の状態である。
【００２４】
使用者は体毛処理部２を下方に向けた姿勢で除毛器具１を把持し、この姿勢のまま除毛器具１を接続スタンド等で洗浄装置の所定位置に固定させる。このとき体毛処理部２は、洗浄槽４内において該洗浄槽４の内底面と接触した位置で支持固定される。またこの固定位置において、洗浄装置側伝送部１５を成す接続端子と除毛器具側伝送部１６を成す接続端子とが接触するように設けており、これにより両者１５，１６は電気的に接続された状態となる。
【００２５】
洗浄液３０の充填や除毛器具１の固定を終えた後、洗浄装置に備えてあるスタートボタン（図示せず）をオンすると、これを受けて制御部１２が電磁弁１１を閉弁させて通気口１０を密閉し、この状態でポンプユニット８を駆動させる。上記ポンプユニット８は、返送流路７を通じて洗浄槽４側から容器部５側へと流体を送り込む圧力を生じさせるものであり、初期状態で洗浄液３０が空である洗浄槽４側から返送流路７中のフィルタカセット９、ポンプユニット８を通過して容器部５上部へと空気が送り込まれる。容器部５は電磁弁１１の閉弁により密閉状態にあるので、送り込まれる空気で内圧は上昇し、この内圧上昇が供給流路６の水平流路６ｅ内部にまで至る水頭に達すると、容器部５内に充填された洗浄液３０が供給流路６を通じて洗浄槽４内へと押し出される。ここで制御部１２はポンプユニット８を停止させ、洗浄槽４の底部に開口する排出口７ａからの洗浄液３０の流出を禁止させるが、供給流路６から洗浄槽４内への洗浄液３０の供給は容器部５の内圧が上記水頭分だけ高い間は継続される。
【００２６】
ポンプユニット８の停止から所定時間経過した時点で、制御部１２は電磁弁１１を開弁させて通気口１０を開き、容器部５内の空気を外気と連通させる。これにより容器部５の内圧は大気圧にまで低下して供給流路６からの洗浄液３０の供給は停止される。このときの洗浄槽４内における洗浄液３０の貯留量は、除毛器具１の体毛処理部２が洗浄槽４内の洗浄液３０に浸された状態で該洗浄槽４内から洗浄液３０が溢れ出ることがない程度の量となるように設定する。なお図示はしないが、洗浄槽４にオーバーフロー部を設けて、液面がここに達すれば洗浄液３０のオーバーフロー分がフィルタカセット９内に流下するように設けてもよい。
【００２７】
体毛処理部２は洗浄槽４内にて洗浄液３０に浸された状態が規定時間だけ維持され、この間に体毛処理部２に付着した毛屑や皮脂等が洗浄液３０の作用で除去される。なおこのとき、接触状態にある洗浄装置側伝送部１５及び除毛器具側伝送部１６を通じて除毛器具本体３内の制御回路１７に対して制御部１２から制御信号を伝送し、体毛処理部２の駆動体２ａを洗浄液３０に浸された状態で駆動させるように設けてあってもよい。これによれば、体毛処理部２に対する洗浄効果が更に向上することとなる。
【００２８】
洗浄作業の完了後、制御部１２は電磁弁１１の開弁を維持させたままでポンプユニット８を駆動させ、洗浄槽４内の使用後の洗浄液３０を排出口７ａからフィルタカセット９、ポンプユニット８と通過させた後に返送流路７の戻し口７ｂから容器部５内に戻す。このとき電磁弁２２の開弁により通気口１０は外気に開放されているので、容器部５の内圧が上昇することはなく、したがって容器部５内の洗浄液３０が供給流路６を通じて洗浄槽４内に押し出されることはない。洗浄液３０はフィルタカセット９を通過する際に濾過され、毛屑や皮脂等が除去された状態で容器部５に戻るので、次回の洗浄作業時には浄化された洗浄液３０が容器部５に貯留された状態となる。
【００２９】
洗浄液３０の回収作業の完了後、制御部１２はファン装置１３及びヒータ装置１４の運転を開始し、空の状態にある洗浄槽４内に配置される体毛処理部２に対してファン装置１３を用いて斜め上方から風を送り込み、且つ体毛処理部２に対してヒータ装置１４を用いて下方から熱を加えることで、体毛処理部２に付着した洗浄液３０を乾燥させる。
【００３０】
ここで本例にあっては、ファン装置１３及びヒータ装置１４を駆動させている乾燥作業の最中に、制御部１２は洗浄装置側伝送部１５及び除毛器具側伝送部１６を通じて除毛器具本体３内の制御回路１７に制御信号を伝送し、体毛処理部２の駆動体２ａを駆動させる。つまり乾燥作業と同時に、例えば電気かみそりである場合には駆動体２ａである刃部を形成する可動刃を往復摺動させ、また脱毛装置である場合には上記駆動体２ａである爪部に回転及び開閉動作をさせる。図２に示すように、駆動体２ａの上記動作は乾燥作業開始と同時に開始させるとともに該乾燥作業中において継続させ、乾燥作業の終了と同時に駆動体２ａの駆動も停止するように、制御部１２から制御信号を伝送する。
【００３１】
上記の如く制御することで、体毛処理部２の特に駆動体２ａに付着する液滴が外部に振るい落とされることで乾燥速度が向上する。加えて、外部に振るい落とされることなく残留する液滴も駆動体２ａの駆動により下方のヒータ装置１４近くに素早く集められ、且つ駆動体２ａの駆動により広げられて表面積が増大することで、加熱や送風による乾燥速度が更に向上する。即ち、体毛処理部２の駆動体２ａの駆動と、加熱や送風による乾燥作業との相乗効果により、体毛処理部２の乾燥速度は大幅に向上することとなる。しかも、付着する液滴を外部に振るい落とす作業により、付着の液滴中に溶け込んだ皮脂や汚れ成分が乾燥後の表面に残留することが抑制される。
【００３２】
なお、制御信号を伝送するための伝送手段である洗浄装置側伝送部１５及び除毛器具側伝送部１６は、上記のように接続端子を用いて接触方式で電気接続される構成に限定されるものではなく、例えば洗浄装置側伝送部１５を一次巻線で形成するとともに除毛器具側伝送部１６を二次巻線で形成し、両者１５，１６が対向位置となるように除毛器具１をセットさせることで、非接触方式で磁気接続されるように構成してあっても構わない。
【００３３】
また体毛処理部２の駆動は、図２に示すような連続駆動ではなく図３に示すような間欠駆動としてもよい。特に除毛器具１が電気かみそりであって駆動体２ａが固定刃と可動刃とから成る刃部である場合、可動刃を連続して往復摺動させていれば摩擦により刃先が磨耗して寿命が短くなってしまう。そこで、乾燥作業中において駆動体２ａを所定の動作時間と停止時間の交互の繰り返しにより駆動させる間欠駆動とすることで、刃先寿命の短縮をできるだけ抑制することが可能となる。
【００３４】
図４には、除毛器具１として毎分１３０００ストロークで可動刃をリニア駆動させる電気かみそりを用い、この除毛器具１の体毛処理装置２を全く駆動させずに乾燥作業を行った場合と、体毛処理部２を連続駆動させながら乾燥作業を行った場合と、体毛処理部２を間欠駆動させながら乾燥作業を行った場合とを対比している。上記間欠駆動は、２秒駆動を３分間隔で繰り返す（即ち、２秒の動作時間と２分５８秒の停止時間とを繰り返す）条件で行う。またこのときの外気温度は摂氏１０度、湿度９０％である。
【００３５】
図示の如く、乾燥重量（気化した水分量）が基準量に到達するまでに、体毛処理部２を駆動させない場合には１４０分の経過時間が必要である。しかし、体毛処理部２を連続駆動させた場合には４０分の経過時間で済み、乾燥時間が大幅に抑制されることが分かる。また、体毛処理部２を間欠駆動させた場合には、８０分の経過時間で済むこととなる。
【００３６】
したがって刃先寿命に与える影響や、騒音の発生は極めて少ないながらも、乾燥時間は半分程度にまで効果的に抑制されることが分かる。なお、動作時間／停止時間の比としては、この比が１未満となるように（即ち、動作時間が停止時間より短くなるように）設けることが刃先寿命低下や騒音発生を抑制する点で好ましく、また、この比が１／２以下となるように設けることが刃先寿命低下や騒音発生を抑制する点では更に好ましい。
【００３７】
次に、本発明の実施形態における第二例の除毛器具の洗浄装置について図５に基づいて説明する。なお本例の基本的構成は上記した第一例と同様であることから、第一例と一致する構成については詳しい説明を省略し、第一例とは相違する特徴的な構成についてのみ以下に詳述する。
【００３８】
本例にあっては、洗浄装置に内蔵してある制御部１２が、乾燥機構Ｂを成すファン装置１３やヒータ装置１４を駆動させている最中に、動作時間と停止時間が交互に繰り返されるように体毛処理部２を間欠駆動させるとともに、この停止時間を、駆動開始からの時間経過に伴って次第に長くしていくように制御するものである。図示例で言えば、ｎ回目の停止時間ｔｎ（ｎ＝１，２，３,…）としたとき、ｔｎ＜ｔ（ｎ＋１）となるように駆動制御する。
【００３９】
体毛処理部２に残留する洗浄液３０の液量は時間経過に伴って漸次減少するので、体毛処理部２の下部側に充分な量の液滴が溜まるまでに要する時間は、漸次長時間化してくる。そこで本例のように、動作時間が終了してから次の動作時間を開始するまでの間隔（即ち停止時間）を漸次長くしていくことで、必要以上に体毛処理部２を駆動させて寿命低下や騒音発生を生じるといった事態を回避するものである。
【００４０】
次に、本発明の実施形態における第二例の除毛器具の洗浄装置について図６、図７に基づいて説明する。なお本例の基本的構成は上記した第一例と同様であることから、第一例と一致する構成については詳しい説明を省略し、第一例とは相違する特徴的な構成についてのみ以下に詳述する。
【００４１】
本例の洗浄装置は図６に示すようなものであって第一例の構成と基本的には同一であるが、第一例とは相違する特徴的な構成として、体毛処理部２の乾燥状態を検知する乾燥検知手段Ｃを具備し、且つ洗浄装置内の制御部１２がこの乾燥検知手段Ｃからの信号を受けて体毛処理部２が充分に乾燥したと判定した段階で、体毛処理部２の駆動を停止させるように設けてある。
【００４２】
上記乾燥検知手段Ｃは、洗浄槽４の底部裏面であって体毛処理部２の駆動体２ａと近接する部分に貼着される温度センサ（サーミスタ）２５を用いて形成してある。この温度センサ２５は、体毛処理部２の特に駆動体２ａの温度を、駆動体２ａと接触する洗浄槽４を通じた熱伝達により間接的に検知するためのものであり、熱伝達により変化する温度センサ２５の電圧を温度に変換したものを図７の下側に示してある。
【００４３】
図７に示すように、乾燥作業が開始されてヒータ装置１４が駆動されると制御部１２に入力される温度センサ２５の検知温度は漸次上昇を始めるとともに、駆動体２ａを駆動させたときには検知温度は一時的に低下する。この温度低下は、駆動体２ａの駆動による液滴の落下や表面積増大により、乾燥が加速されるからである。
【００４４】
駆動体２ａの駆動が停止すれば検知温度は再度上昇するのだが、温度センサ２５による検知温度が或る程度の温度にまで達すると、ヒータ装置１４が加える熱量と液滴が蒸発する際に奪う気化熱量とが釣り合うようになり、検知温度は略一定温度を維持する。しかし、更に時間が経過すれば駆動体２ａに付着する液滴が殆ど乾燥した状態となり、検知温度は急上昇を始めるとともに、駆動体２ａから空気に対して放熱される熱量とヒータ装置１４の加える熱量とが釣り合って略一定温度を維持するようになる温度にまで、温度上昇を続ける。
【００４５】
制御部１２には、この乾燥後の急激な温度上昇を検知するように閾値Ｔ１を設定してある。つまり、温度センサ２５の検知温度が閾値Ｔ１を超えた時点で駆動体２ａは乾燥完了の状態にあると判定し、体毛処理部２の駆動を完全に停止させるように制御信号を伝送する。なお、乾燥機構Ｂを成すファン装置１３及びヒータ装置１４は、体毛処理部２の駆動体２ａ以外の部分や洗浄槽４も充分に乾燥させるため、体毛処理部２の駆動を完全停止させた状態のままで所定時間だけ動作させた後に、停止させる。
【００４６】
上記制御とすることで、体毛処理部２の寿命への影響を極力減らすとともに、体毛処理部２駆動時の騒音による周囲への影響も低減させることができる。また乾燥検知手段Ｃとして温度センサ２５を用いたことで、乾燥状態を温度変化により確実に捉えることができ、誤検知することなく確実なタイミングで除毛器具１を停止させることが可能になっている。
【図面の簡単な説明】
【００４７】
【図１】本発明の実施形態における第一例の除毛器具の洗浄装置を概略的に示すブロック図である。
【図２】同上の洗浄装置の除毛器具動作状態を概略的に示すタイミングチャートである。
【図３】同上の洗浄装置の他の除毛器具動作状態を概略的に示すタイミングチャートである。
【図４】同上の洗浄装置の乾燥時間を駆動条件毎に対比するグラフ図である。
【図５】本発明の実施形態における第二例の洗浄装置の除毛器具動作状態を概略的に示すタイミングチャートである。
【図６】本発明の実施形態における第三例の除毛器具の洗浄装置を概略的に示すブロック図である。
【図７】同上の洗浄装置の除毛器具動作状態及び体毛処理部温度を概略的に示すタイミングチャートである。
【符号の説明】
【００４８】
１  除毛器具
２  体毛処理部
４  洗浄槽
５  容器部
１２  制御部
２５  温度センサ
３０  洗浄液
Ａ  供給回収機構
Ｂ  乾燥機構
Ｃ  乾燥検知手段
【図１】
2008023120.tif 000003
【図２】
2008023120.tif 000004
【図３】
2008023120.tif 000005
【図４】
2008023120.tif 000006
【図５】
2008023120.tif 000007
【図６】
2008023120.tif 000008
【図７】
2008023120.tif 000009